(57)【要約】【課題】取付けが容易で、かつ水はけのよい排水具を提供する。【解決手段】相手部材に開口された排水口に取り付けられる排水具であって、前記排水口の直径より大きい外形寸法を有するつばと、前記排水口の直径より小さい外径を有する筒状の排水具本体とからなり、前記つばが、前記排水口に嵌合する受け座を有し、前記排水具本体が、上流側端縁において前記排水口の直径より小さい外径の係合縁が突設され、前記排水具本体の係合縁が前記つばの受け座に係合することにより、前記排水具本体が前記排水口内部に配設されてなる排水具。【選択図】　　　　図１
2004107916.tif 000002
【特許請求の範囲】
【請求項１】
相手部材に開口された排水口に取り付けられる排水具であって、
前記排水口の直径より大きい外形寸法を有するつばと、
前記排水口の直径より小さい外径を有する筒状の排水具本体とからなり、
前記つばが、前記排水口に嵌合する受け座を有し、
前記排水具本体が、上流側端縁において前記排水口の直径より小さい外径の係合縁が突設され、
前記排水具本体の係合縁が前記つばの受け座に係合することにより、前記排水具本体が前記排水口内部に配設されてなる排水具。
【請求項２】
前記つばが金属薄板で作製されてなる請求項１記載の排水具。
【請求項３】
前記受け座が、前記排水口の内周面に対向する周方向壁部と、該周方向壁部の下流側端縁に設けられた環状の座面部とからなる請求項１または２記載の排水具。
【請求項４】
前記つばの少なくとも一部に貫通孔が形成されてなる請求項１または２記載の排水具。
【発明の詳細な説明】
【０００１】
【発明の属する技術分野】
本発明は排水具に関する。さらに詳しくは、取付けが容易で、かつ水はけのよい排水具に関する。
【０００２】
【従来の技術】
近年、一戸建て住宅や木造住宅のベランダやバルコニーの防水のために、ベランダなどの床や壁を繊維強化プラスチック（以下、ＦＲＰという）でコーティングするケースが増えている。しかし、ＦＲＰでコーティングされる床や壁に設けられた排水口に、いわゆるドレーンと呼ばれる排水具を設置する場合、従来から一般に用いられる塩化ビニル樹脂や鋳物などからなる排水具では、ＦＲＰコーティングされた床面との接着がうまくいかず、排水具がはがれやすく、漏水の原因になる。
【０００３】
そこで、最近では、床などのＦＲＰコーティングと接着の相性がよいＦＲＰ製の排水具が用いられつつある。
【０００４】
かかるＦＲＰ製の排水具３０は、図７に示されるように、ベランダの床Ｆに開口された排水口Ｅの周囲に延びるつば部３１および排水口Ｅ内部に挿入される筒部３２がＦＲＰで一体的に作製されたものである。筒部３２には、塩化ビニル樹脂などからなるパイプが接着され、筒部３２と塩化ビニル樹脂などからなるパイプとが一体に形成される。
【０００５】
排水具３０を床Ｆに設置する場合、設置前後に少なくとも１回づつ床ＦにＦＲＰをコーティングすることにより、排水具３０と床Ｆのコーティングとが同種のＦＲＰによって一体化するため、漏水の心配がなくなる。床ＦのＦＲＰコーティングが硬化したのち、仕上げのトップコートを床Ｆに施し、排水口Ｅにストレーナを取り付ければ、取付作業は完了する。
【０００６】
また、従来のＦＲＰ製の排水具の他の例として、図８に示される横型の排水具３３は、ベランダの壁Ｗに開口された排水口Ｅの周囲に延びる垂直つば部３４、床Ｆに延びる水平つば部３５、および排水口Ｅ内部に挿入される筒部３６がＦＲＰで一体的に作製されたものである。そして、前述の排水具３０の場合と同様に、筒部３６も、塩化ビニル樹脂などからなるパイプに接着され、筒部３６と塩化ビニル樹脂などからなるパイプとが一体に形成される。
【０００７】
【発明が解決しようとする課題】
しかし、図７に示される従来のＦＲＰ製の排水具３０をベランダの床Ｆの排水口Ｅに設置する場合、ＦＲＰ製のつば部３１が比較的厚い（厚さ１．５〜２．５ｍｍ程度）ので、水はけをよくするために、水がつば部３１を容易に乗り越えて排水口Ｅに流れるべく、床Ｆを加工する必要がある。すなわち、床Ｆに排水口Ｅを開けたのち、排水口Ｅの周囲に、排水具３０のつば部３１を床Ｆに埋め込むための段差部Ｓを、グラインダやのみなどを用いて形成する必要があり、取付作業が煩雑であった。
【０００８】
また、図８に示される横型の排水具３３の場合も、前述と同様に、ＦＲＰ製の垂直つば部３４および水平つば部３５が比較的厚いので、水はけをよくするために、水が垂直つば部３４および水平つば部３５を容易に乗り越えて排水口Ｅに流れるべく、垂直つば部３４および水平つば部３５を壁Ｗおよび床Ｆにそれぞれ埋め込むための段差部Ｓを、グラインダやのみなどを用いて形成する必要があり、さらに取付作業が煩雑であった。
【０００９】
本発明はかかる問題を解消するためになされたものであり、取付けが容易で、かつ水はけのよい排水具を提供することを目的とする。
【００１０】
【課題を解決するための手段】
本発明の排水具は、相手部材に開口された排水口に取り付けられる排水具であって、
前記排水口の直径より大きい大きい外形寸法を有するつばと、
前記排水口の直径より小さい外径を有する筒状の排水具本体とからなり、
前記つばが、前記排水口に嵌合する受け座を有し、
前記排水具本体が、上流側端縁において前記排水口の直径より小さい外径の係合縁が突設され、
前記排水具本体の係合縁が前記つばの受け座に係合することにより、前記排水具本体が前記排水口内部に配設されてなることを特徴としている。
【００１１】
前記つばが金属薄板で作製されてなるのが好ましい。
【００１２】
前記受け座が、前記排水口の内周面に対向する周方向壁部と、該周方向壁部の下流側端縁に設けられた環状の座面部とからなるのが好ましい。
【００１３】
前記つばの少なくとも一部に貫通孔が形成されてなるのが好ましい。
【００１４】
【発明の実施の形態】
つぎに図面を参照しながら本発明の排水具をさらに詳細に説明する。図１は本発明の排水具の一実施の形態を示す縦型排水具の分解斜視図、図２は図１の排水具の平面説明図、図３は図１の排水具を床に開口された排水口に取り付けた状態を示す断面説明図、図４は本発明の排水具の他の実施の形態を示すつばの他の例を示す平面図、図５は本発明の排水具のさらに他の実施の形態を示す横型排水具の分解斜視図および図６は図５の排水具を壁に開口された排水口に取り付けた状態を示す断面説明図である。
【００１５】
図１〜３に示される縦型の排水具１は、ベランダなどの床Ｆに開口された排水口Ｅに取り付けられる排水具であり、排水口Ｅの周囲に延びる金属薄板で作製されたつば２と、排水口Ｅ内部に挿入されるＦＲＰ製の筒状の排水具本体３とから構成されている。なお、図３において、Ｔは排水具本体３の下端に接着剤などで固着された、たとえば塩化ビニル樹脂などの合成樹脂製のパイプである。
【００１６】
つば２は、排水口Ｅの直径Ｄ１より大きい外径ｄ１（３０〜４００ｍｍ程度）を有し、ステンレス、鉄、銅、アルミニウム、鉛、亜鉛、真ちゅう、チタン、チタン合金などの金属薄板に打抜き加工などを施すことにより環状に作製されている。なお、本実施の形態では、つば２の外形が環状を呈しているが、本発明はこれに限定されるものではなく、つば２の外形を矩形またはその他の形状にしてもよい。つば２の内側には排水口Ｅに嵌合する受け座４が設けられている。受け座４は、排水口Ｅの内周面に対向する周方向壁部４ａと、周方向壁部４ａの下流側端縁に設けられた環状の座面部４ｂとからなる。なお、つば２は、前述した金属以外にも、一定の強度や耐折れ曲げ性が得られるかぎり、ＦＲＰ（ガラス繊維強化プラスチックをも含む概念である。以下同様）、ウレタン樹脂、尿素樹脂、アクリル樹脂、塩化ビニル樹脂、ＡＢＳ、ポリカーボネート、ナイロンなどのポリアミド、ポリプロピレンやポリエチレンなどのポリオレフィン、エポキシ樹脂などで作製することができる。
【００１７】
さらに、本実施の形態のつば２は、略螺旋状に傾斜しながら等間隔に放射状に配置されたスリット５が形成されているため、排水具１を排水口Ｅに挿入したのちに床Ｆおよび排水具１の表面全体にＦＲＰをコーティングしたときに、スリット５内部にもＦＲＰ樹脂が浸入することによって、つば２と床Ｆとをより緊密に接着させることができる。
【００１８】
なお、ＦＲＰ樹脂の浸入を許すためにつば２に形成される貫通孔またはスリットの形状および配置については、本発明は前記図１〜３に示されるスリット５に限定されるものではなく、種々の形状や配置の貫通孔またはスリットを採用することができる。たとえば、図４に示されるように、つば２の周方向に沿って花柄を模した図形を表わすようにスリット６を周期的に配置してもよい。
【００１９】
また、図２に示されるように、つば２の外周縁付近に、歪みを修正（ステンレス製のつばの場合、板厚が小さいため板に歪みが出ることがあるが、くぎを孔に打つことにより歪を修正する）したり、下地につばを固定してライニングをしやすくするための小さい貫通孔７を等間隔に形成してもよい。
【００２０】
排水具本体３は、たとえばＦＲＰシートを所定の形状に加熱硬化することにより作製することができ、上流側端縁において排水口Ｅの直径Ｄ１（図３参照）より小さい外径ｄ２の環状の係合縁８が突設されている。排水具本体３は、ＦＲＰ以外に、ウレタン樹脂、尿素樹脂、アクリル樹脂、塩化ビニル樹脂、ＡＢＳ、ポリカーボネート、ナイロンなどのポリアミド、ポリプロピレンやポリエチレンなどのポリオレフィン、エポキシ樹脂などで作製するようにしてもよい。
【００２１】
図１〜３に示される排水具１では、排水具本体３の係合縁７がつば２の受け座４（具体的には環状の座面部４ｂ）に係合することにより、ＦＲＰ製の排水具本体３の全体を排水口Ｅ内部に挿入して所定の位置に配設することができる。したがって、図３に示されるように、排水口Ｅに取り付けられた排水具１は、金属薄板からなるつば２が従来のＦＲＰ製のつばと比較して使用に耐え得る充分な強度を保ちつつ非常に薄く形成されているため、従来の排水具のように排水口Ｅ周囲に段差部を形成する必要がなく、排水具の取付作業を容易にすることができる。しかも、金属薄板からなるつば２は、ＦＲＰ製のつばよりも非常に薄いため、水は床面上のつば２の表面を滑らかに流れることができ、水はけがよい。
【００２２】
つば２の厚さは、水はけのよさ、使用に耐え得る強度などの条件を考慮すれば、０．０５〜１．０ｍｍ程度が好ましい。本発明では、このつば２を、たとえばステンレスで作製しているので、従来のものに比べて大幅に板厚を薄くすることができる。
【００２３】
つぎに本発明の排水具の他の実施の形態として、図５〜６に示される横型の排水具１１は、ベランダなどの壁Ｗに開口された排水口Ｅに取り付けられる排水具であり、排水口Ｅの周囲に延びる金属薄板で作製されたつば１２と、排水口Ｅ内部に挿入されたＦＲＰで作製された筒状の排水具本体１３とから構成されている。なお、排水具本体１３の下側は、排水が流れる部分の間口を広くとるために平坦になっている。
【００２４】
つば１２は、排水口Ｅの直径より大きい外形寸法を有し、ベランダの壁Ｗに開口された排水口Ｅの周囲に延びる略矩形の垂直つば部１４と、床Ｆに延びる略矩形の水平つば部１５とからなる。つば２の内側には排水口Ｅに嵌合する受け座１６が設けられている。受け座１６は、排水口Ｅの内周面に対向する周方向壁部１６ａと、周方向壁部１６ａの下流側端縁に設けられた略Ｃ字形状を呈する座面部１６ｂとからなる。
【００２５】
排水具本体１３は、たとえばＦＲＰシートを所定の形状に加熱硬化することにより作製することができ、上流側端縁において排水口Ｅの直径より小さい外径の略Ｃ字形状を呈する係合縁１８が突設されている。
【００２６】
図５〜６に示される横型の排水具１１では、排水具本体１３の係合縁１８がつば１２の受け座１６（具体的には略Ｃ字状の座面部１６ｂ）に係合することにより、ＦＲＰ製の排水具本体１３の全体を排水口Ｅ内部に挿入して所定の位置に配設することができる。
【００２７】
したがって、図６に示されるように、排水口Ｅに取り付けられた排水具１１は、金属薄板からなるつば１２が従来のＦＲＰ製のつばと比較して使用に耐え得る充分な強度を保ちつつ非常に薄く形成されているため、従来の排水具のように排水口Ｅ周囲の壁および床に段差部を形成する必要がなく、排水具の取付作業を容易にすることができる。
【００２８】
しかも、金属薄板からなるつば１２は、ＦＲＰ製のつばよりも非常に薄いため、水は壁面および床面上のつば１２の表面を滑らかに流れることができ、水はけがよい。
【００２９】
さらに、本実施の形態のつば１２は、複数の貫通孔１７が全面にわたって形成されているため、排水具１１を排水口Ｅに挿入したのちに壁Ｗおよび床Ｆ、ならびに当該壁Ｗおよび床Ｆの両方に延びる排水具１１の表面全体にＦＲＰをコーティングしたときに、スリット貫通孔１７内部にもＦＲＰ樹脂が浸入することによって、つば１２と床Ｆとのあいだ、およびつば１２と壁Ｗとのあいだをより緊密に接着させることができる。
【００３０】
【発明の効果】
本発明の排水具は、金属薄板からなるつばが従来のＦＲＰ製のつばと比較して使用に耐え得る充分な強度を保ちつつ非常に薄く形成されているため、従来の排水具のように排水口周囲に段差部を形成する必要がなく、排水具の取付作業を容易にすることができる。
【００３１】
しかも、金属薄板からなるつばは、ＦＲＰ製のつばよりも非常に薄いため、水は床面などの上のつばの表面を滑らかに流れることができ、水はけが非常によくなる。
【図面の簡単な説明】
【図１】本発明の排水具の一実施の形態を示す縦型排水具の分解斜視図である。
【図２】図１の排水具の平面説明図である。
【図３】図１の排水具を床に開口された排水口に取り付けた状態を示す断面説明図である。
【図４】本発明の排水具の他の実施の形態を示すつばの他の例を示す平面図である。
【図５】本発明の排水具のさらに他の実施の形態を示す横型排水具の分解斜視図である。
【図６】図５の排水具を壁に開口された排水口に取り付けた状態を示す断面説明図である。
【図７】従来のＦＲＰ製の縦型排水具を床に開口された排水口に取り付けた状態を示す概観斜視図である。
【図８】従来のＦＲＰ製の横型排水具を壁に開口された排水口に取り付けた状態を示す概観斜視図である。
【符号の説明】
１、１１　排水具
２、１２　つば
３、１３　排水具本体
【図１】
2004107916.tif 000003
【図２】
2004107916.tif 000004
【図３】
2004107916.tif 000005
【図４】
2004107916.tif 000006
【図５】
2004107916.tif 000007
【図６】
2004107916.tif 000008
【図７】
2004107916.tif 000009
【図８】
2004107916.tif 000010